(57)【要約】【課題】  視覚障害者であっても容易に作業を行うことを可能にする装飾部品整列具と該装飾部品整列具を組み込んだ装飾部品整列・貼付器を提供すること。【解決手段】  本願発明による装飾部品整列具によると、整列ボードと、上記整列ボードに設けられ装飾部品を所定の位置に位置決めするための複数個の装飾部品嵌合凹部と、上記整列ボードに設けられ上記装飾部品嵌合凹部に装飾部品を案内する複数個の装飾部品案内溝と、を具備した構成になっているので、上記装飾部品案内溝を介して装飾部品を装飾部品嵌合凹部内に確実に嵌合させることができ、例えば、視覚障害者であっても容易に作業を行うことが可能になる。【選択図】  図１
2005256249.tif 000002
【特許請求の範囲】
【請求項１】
整列ボードと、
上記整列ボードに設けられ装飾部品を所定の位置に位置決めするための複数個の装飾部品嵌合凹部と、
上記整列ボードに設けられ上記装飾部品嵌合凹部に装飾部品を案内する複数個の装飾部品案内溝と、
を具備したことを特徴とする装飾部品整列具。
【請求項２】
請求項１記載の装飾部品整列具において、
上記複数個の装飾部品案内溝は上記複数個の装飾部品嵌合凹部の周りに略放射状に形成されていて、装飾部品を中央部の上記装飾部品嵌合凹部内に案内するように構成されていることを特徴とする装飾部品整列具。
【請求項３】
請求項１又は請求項２記載の装飾部品整列具において、
上記装飾部品整列具の装飾部品嵌合凹部は装飾部品が丁度嵌る大きさであり、上記装飾部品案内溝は上記装飾部品嵌合凹部より浅く形成されていて装飾部品がスライドするように設けられていることを特徴とする装飾部品配列具。
【請求項４】
請求項１〜請求項３の何れかに記載の装飾部品整列具において、
上記装飾部品嵌合凹部と装飾部品案内溝は周囲の色とコントラストを付けて設けられていることを特徴とする装飾部品整列具。    
【請求項５】
請求項１〜請求項４の何れかに記載の装飾部品整列具において、
上記装飾部品整列具はプレスボードを回動可能に備えていて、位置決めした複数個の装飾部品を粘着テープに接着・固定する際、該プレスボードを回動させて上記整列ボード側に押圧するようにしたことを特徴とする装飾部品整列具。
【請求項６】
請求項５記載の装飾部品整列具において、
上記プレスボード側には上記整列ボード側の装飾部品嵌合凹部に対向して凹部が設けられていることを特徴とする装飾部品整列具。
【請求項７】
所定の間隔でベース側嵌合部が設けられたベースボードと、
上記ベースボードに対して回動可能に取り付けられ粘着テ―プが貼り付けられるセットプレートと、
上記ベース側嵌合部に嵌合する整列具側嵌合部を備え、該整列具側嵌合部を上記ベース側嵌合部に順次嵌合させていくことにより上記ベースボードに対して移動可能にセットされる請求項１〜請求項６の何れかに記載の装飾部品整列具と、を具備し、
上記装飾部品整列具を上記ベースボード上にセットして、複数個の装飾部品を上記装飾部品案内溝を介して複数個の装飾部品嵌合凹部内に嵌合させ、その状態で上記セットプレートを上記ベースプレート側に回動させてそこに貼り付けられている粘着テープを上記装飾部品整列具の装飾部品嵌合凹部内に嵌合している複数個の装飾部品に押し付けて接着・保持し、その状態で上記セットプレートを反ベースボード側に回動させ、以下、上記装飾部品整列具を移動させながら同様の作業を繰り返すことにより複数箇所において装飾部品を粘着テープに接着・固定するようにしたことを特徴とする装飾部品整列・貼付器。
【請求項８】
請求項７記載の装飾部品配列・貼付器において、
上記ベースボードには上記装飾部品整列具が何処に位置しているかを認識させるための凸部が設けられていることを特徴とする装飾部品配列・貼付器。
【請求項９】
請求項７又は請求項８記載の装飾部品整列・貼付器において、
上記セットボードには粘着テープを貼り付ける位置を示す粘着テープ貼付用ガイドが設けられていることを特徴とする装飾部品整列・貼付器。
【発明の詳細な説明】
【技術分野】
【０００１】
本発明は、ラインストーン等の装飾部品を整列させるために使用する装飾部品整列具と該装飾部品整列具を組み込んだ装飾部品整列・貼付器に係り、特に、視覚障害者であっても簡便な作業で複数個の装飾部品を整列させることができるように工夫したものに関する。
【背景技術】
【０００２】
例えば、ラインストーンと称される装飾部品を衣服の任意の場所に溶着・固定して装飾することが行われている。この場合には次のような手順で行われる。まず、所定のポイントが記された紙があり、該紙のポイント上にラインストーンを載置・配列させる。次に、それらのラインストーンを粘着剤付フィルムに転移させる。次に、ラインストーンを接着・保持している上記粘着剤付フィルムを衣服の所定の場所に当てて熱圧着を施す。それによって、衣服に所定の装飾を施すことができる。
【０００３】
又、上記とは別の方法もある。まず、プレートがあり、該プレートには点字サイズの穴が開けられている。上記プレートの穴内にラインストーンを表向きにして嵌合させる。次に、それらのラインストーンを粘着剤付フィルムに転移させる。後は、上記した方法の場合と同様に、ラインストーンを接着・保持している上記粘着剤付フィルムを衣服の所定の場所に当てて熱圧着を施す。それによって、衣服に所定の装飾を施すことができる。
【０００４】
尚、同種の内容を開示するものとして、例えば、特許文献１がある。
【０００５】
【特許文献１】特開２００４−２７４１２号公報
【発明の開示】
【発明が解決しようとする課題】
【０００６】
上記従来の構成によると次のような問題があった。
まず、何れの場合も視覚障害者にとっては極めて困難な作業であった。具体的には、ラインストーンを所定のマークや穴に入れる作業が困難である。又、これは熱溶着する場合も同様であり、ラインストーンを接着・保持している上記粘着剤付フィルムを衣服の所定の場所に当てる作業、及びそこに熱圧着を施す作業が困難であった。
【０００７】
本発明はこのような点に基づいてなされたものでその目的とするところは、視覚障害者であっても容易に作業を行うことを可能にする装飾部品整列具と該装飾部品整列具を組み込んだ装飾部品整列・貼付器を提供することにある。
【課題を解決するための手段】
【０００８】
上記目的を達成するべく本願発明の請求項1による装飾部品整列具は、整列ボードと、上記整列ボードに設けられ装飾部品を所定の位置に位置決めするための複数個の装飾部品嵌合凹部と、上記整列ボードに設けられ上記装飾部品嵌合凹部に装飾部品を案内する複数個の装飾部品案内溝と、を具備したことを特徴とするものである。
又、請求項２による装飾部品整列具は、請求項１記載の装飾部品整列具において、上記複数個の装飾部品案内溝は上記複数個の装飾部品嵌合凹部の周りに略放射状に形成されていて、装飾部品を中央部の上記装飾部品嵌合凹部内に案内するように構成されていることを特徴とするものである。
又、請求項３による装飾部品整列具は、請求項１又は請求項２記載の装飾部品整列具において、上記装飾部品整列具の装飾部品嵌合凹部は装飾部品が丁度嵌る大きさであり、上記装飾部品案内溝は上記装飾部品嵌合凹部より浅く形成されていて装飾部品がスライドするように設けられていることを特徴とするものである。
又、請求項４による装飾部品整列具は、請求項１〜請求項３の何れかに記載の装飾部品整列具において、上記装飾部品嵌合凹部と装飾部品案内溝は周囲の色とコントラストを付けて設けられていることを特徴とするものである。    
又、請求項５による装飾部品整列具は、請求項１〜請求項４の何れかに記載の装飾部品整列具において、上記装飾部品整列具はプレスボードを回動可能に備えていて、位置決めした複数個の装飾部品を粘着テープに接着・固定する際、該プレスボードを回動させて上記整列ボード側に押圧するようにしたことを特徴とするものである。
又、請求項６による装飾部品整列具は、請求項５記載の装飾部品整列具において、上記プレスボード側には上記整列ボード側の装飾部品嵌合凹部に対向して凹部が設けられていることを特徴とするものである。
又、請求項７による装飾部品整列・貼付器は、所定の間隔でベース側嵌合部が設けられたベースボードと、上記ベースボードに対して回動可能に取り付けられ粘着テ―プが貼り付けられるセットプレートと、上記ベース側嵌合部に嵌合する整列具側嵌合部を備え、該整列具側嵌合部を上記ベース側嵌合部に順次嵌合させていくことにより上記ベースボードに対して移動可能にセットされる請求項１〜請求項６の何れかに記載の装飾部品整列具と、を具備し、上記装飾部品整列具を上記ベースボード上にセットして、複数個の装飾部品を上記装飾部品案内溝を介して複数個の装飾部品嵌合凹部内に嵌合させ、その状態で上記セットプレートを上記ベースプレート側に回動させてそこに貼り付けられている粘着テープを上記装飾部品整列具の装飾部品嵌合凹部内に嵌合している複数個の装飾部品に押し付けて接着・保持し、その状態で上記セットプレートを反ベースボード側に回動させ、以下、上記装飾部品整列具を移動させながら同様の作業を繰り返すことにより複数箇所において装飾部品を粘着テープに接着・固定するようにしたことを特徴とするものである。
又、請求項８による装飾部品整列・貼付器は、請求項７記載の装飾部品配列・貼付器において、上記ベースボードには上記装飾部品整列具が何処に位置しているかを認識させるための凸部が設けられていることを特徴とするものである。
又、請求項９による装飾部品整列・貼付器は、請求項７又は請求項８記載の装飾部品整列・貼付器において、上記セットボードには粘着テープを貼り付ける位置を示す粘着テープ貼付用ガイドが設けられていることを特徴とするものである。
【発明の効果】
【０００９】
以上述べたように、本願発明による装飾部品整列具によると、整列ボードと、上記整列ボードに設けられ装飾部品を所定の位置に位置決めするための複数個の装飾部品嵌合凹部と、上記整列ボードに設けられ上記装飾部品嵌合凹部に装飾部品を案内する複数個の装飾部品案内溝と、を具備した構成になっているので、上記装飾部品案内溝を介して装飾部品を装飾部品嵌合凹部内に確実に嵌合させることができ、例えば、視覚障害者であっても容易に作業を行うことが可能になる。
又、上記複数個の装飾部品案内溝を上記複数個の装飾部品嵌合凹部の周りに略放射状に形成して装飾部品を中央部の上記装飾部品嵌合凹部内に案内するように構成した場合には、上記効果をさらに高めることができる。
又、上記装飾部品整列具の装飾部品嵌合凹部を装飾部品が丁度嵌る大きさとし、上記装飾部品案内溝を上記装飾部品嵌合凹部より浅く形成して装飾部品をスライドするように設けた場合も、上記効果をさらに高めることができる。
又、上記装飾部品嵌合凹部と装飾部品案内溝は周囲の色とコントラストを付けて設けた場合は、視覚障害者の中でも弱視者の作業員にとってより好都合である。    
又、上記装飾部品整列具としてプレスボードを回動可能に備えた構成とし、位置決めした複数個の装飾部品を粘着テープに接着・固定する際、該プレスボードを回動させて上記整列ボード側に押圧するように構成した場合には、粘着テープへの装飾部品の接着・固定作業が容易、且つ、確実なものとなる。
又、上記プレスボード側に上記整列ボード側の装飾部品嵌合凹部に対向して凹部を設けた場合には、上記効果をさらに高めることが可能になる。
又、本願発明による装飾部品整列・貼付器によると、所定の間隔でベース側嵌合部が設けられたベースボードと、上記ベースボードに対して回動可能に取り付けられ粘着テ―プが貼り付けられるセットプレートと、上記ベース側嵌合部に嵌合する整列具側嵌合部を備え、該整列具側嵌合部を上記ベース側嵌合部に順次嵌合させていくことにより上記ベースボードに対して移動可能にセットされる請求項１〜請求項６の何れかに記載の装飾部品整列具と、を具備し、上記装飾部品整列具を上記ベースボード上にセットして、複数個の装飾部品を上記装飾部品案内溝を介して複数個の装飾部品嵌合凹部内に嵌合させ、その状態で上記セットプレートを上記ベースプレート側に回動させてそこに貼り付けられている粘着テープを上記装飾部品整列具の装飾部品嵌合凹部内に嵌合している複数個の装飾部品に押し付けて接着・保持し、その状態で上記セットプレートを反ベースボード側に回動させ、以下、上記装飾部品整列具を移動させながら同様の作業を繰り返すことにより複数箇所において装飾部品を粘着テープに接着・固定するようにしたものであり、それによって、視覚障害者であっても、一連の整列・貼付作業を容易に行うことが可能になる。
又、上記ベースボードに上記装飾部品整列具が何処に位置しているかを認識させるための凸部を設けた場合には、それによって、視覚障害者であっても作業場所の確認を容易に行うことが可能になる。
又、上記セットボードには粘着テープを貼り付ける位置を示す粘着テープ貼付用ガイドを設けた場合には、粘着テープの貼付作業が容易、且つ、確実なものとなる。
【発明を実施するための最良の形態】
【００１０】
以下、図１乃至図６を参照して本発明の一実施の形態を説明する。図１に示すように、まず、ベースボード１があり、このベースボード１にはセットプレート３がヒンジ部５、７を介して回動可能に取り付けられている。上記ベースボード１にはベース側嵌合凹部としての嵌合凹部９が所定の左右方向に所定のピッチで等間隔にて形成されていると共に、それが二列にわたって形成されている。上記所定のピッチとは一点字ピッチである。
【００１１】
又、上記二列にわたって形成された複数個の嵌合凹部９の位置に対応するように複数個の凸部１１が同じピッチで一列形成されている。これは、視覚障害者が現在何処の位置で作業を行っているか認識することを可能にするためである。又、ガイド溝１３が形成されていると共にベースボード１の端面１４が別のガイド面となっている。
【００１２】
上記セットプレート３は、図１に示すように、略コ字状をなしていて、中央部が作業空間として形成されている。又、図２に示すように、セットプレート３の一面側には粘着テープ貼付用案内突起１５、１５が形成されている。そして、図２に示すように、これら粘着テープ貼付用案内突起１５、１５を挟んで両側に粘着テープ１７、１７を貼り付けるものである。
【００１３】
上記ベースプレート１上には装飾部品としてのラインストーン１９を整列させる為のラインストーン整列具２１が着脱可能に設置されている。このラインストーン整列具２１は、整列ボード２３と、この整列ボード２３に対してヒンジ部２５を介して回動可能に取り付けられたプレスボード２７とから構成されている。
【００１４】
上記整列ボード２３には、図４に示すように、複数個（この実施の形態の場合には６個）の装飾部品嵌合凹部としての嵌合凹部２９が形成されている。これら６個の嵌合凹部２９内にラインストーン１９を嵌合させて整列させるものである。上記６個の嵌合凹部２９の外周側には、６個の装飾部品案内溝としての案内溝３１が略放射状に形成されている。これら６個の案内溝３１は夫々上記嵌合凹部２９に接続された状態で形成されていて、搬入されたラインストーン１９を嵌合凹部２９に案内して嵌合させるためのものである。
【００１５】
上記嵌合凹部２９はラインストーン１９が表向きで丁度嵌合する程度の深さに形成されているのに対して、上記案内溝３１はそれより少し浅く形成されている。
具体的には、上記ラインストーン１９としては、例えば、直径約２ｍｍ、高さ約０．７ｍｍのものがあり、本実施の形態ではそのようなサイズのラインストーン１９を使用している。又、その関係で、案内溝３１の深さを約０．１５ｍｍ、嵌合凹部２９の深さを約０．３ｍｍに設定している。又、上記嵌合凹部２９と案内溝３１の部分はその他の個所に対してコントラストを付けて設けられている。これは、例えば、弱視の作業者であってもその位置を容易に認識できるようにするためである。
【００１６】
一方、上記プレスボード２７側には、上記６個の嵌合凹部２９に対応するように６個の凹部３３が形成されている。そして、このプレスボード２７を回動させることにより、上記６個の嵌合凹部２９内に６個のラインストーン１９を嵌合させた状態で粘着テープ１７を挟んで押圧し、それによって、６個のラインストーン１９を粘着テープ１７側に接着・固定させるものである。その様子を図３に示す。
【００１７】
又、上記整列ボード２３の背面側にはガイド部３５が形成されていて、このガイド部３５をベースボード１側のガイド溝１３内に嵌合させたり、或いは、ガイド面１４に沿わせる。その状態で、ラインストーン整列具２１を左右方向に移動させるものである。又、上記整列ボード２３の背面側には、図４（ｂ）に示すように、整列具側嵌合部としての嵌合凸部３６が形成されている。この嵌合凸部３６をベースボード１側の嵌合凹部９内に嵌合させることにより、ラインストーン整列具２１を所定の位置に位置させるものである。
【００１８】
又、図５及び図６に示すような超音波溶着器４１があり、この超音波溶着器４１のケース４３の下面には凸部４５が形成されている。この凸部４５をベースボード１側の嵌合凹部９に嵌合させることによりその位置を固定するものである。又、上記ケース４３の前方下部には超音波ホーン４７が配置されている。
【００１９】
以上の構成を基にその作用を説明する。
まず、図２に示す状態から、ラインストーン整列具２１を撤去した状態において、粘着テ―プ１７、１７をセットプレート３の一面側の所定位置に貼り付ける。その際、粘着テープ貼付用凸部１５を挟んで両側に貼り付ければ良く、例えば、視覚障害者であっても手で上記粘着テープ貼付用凸部１５を触りながら容易に行うことができる。次に、セットプレート３をヒンジ部５、７を介して回動させて図１に示すような状態とする。
【００２０】
次に、図１に示すように、ベースプレート１上に、ラインストーン整列具２１を載置する。その際、ラインストーン整列具２１の整列ボード２３に形成されている嵌合凸部３６をベースボード１側の嵌合凹部９内に嵌合させることにより所定の位置にセットするものである。この場合には、まず、嵌合凸部３６を、図１中上側の列の嵌合凹部９であって、図１中左端の嵌合凹部９内に嵌合させる。その場合には、整列ボード２３のガイド部３５がガイド溝１３内に嵌合することになる。
【００２１】
次に、整列ボード２３上にラインストーン１９を載置して順次嵌合凹部２９内に嵌合させていく。その際、案内溝３１が効果的に機能して、ラインストーン１９を嵌合凹部２９内に円滑に案内して嵌合させることができるものである。この種の作業も全て視覚障害者にとって容易な作業である。
【００２２】
６個の嵌合凹部２９内へのラインストーン１９の嵌合作業が完了したら、図２に示すように、セットプレート３をベースプレート１側に回動させる。そして、セットプレート３に貼り付けられている粘着テ―プ１７、１７の内、ヒンジ部５、７側に寄った位置に貼り付けられた粘着テープ１７を上記整列ボード２３上に位置させる。そして、ラインストーン整列具２１のプレスボード２７をヒンジ部２５を介して回動させることにより、凹部３３によって粘着テープ１７を整列ボード２３に押し付ける。それによって、嵌合凹部２９内に嵌合していた６個のラインストーン１９が粘着テープ１７側に接着・固定されることになる。
【００２３】
次に、セットプレート３を回動させて、図１に示すような状態に戻す。次に、ラインストーン整列具２１を１ピッチだけ左右方向に移動させる。この場合には、図１中右側に１ピッチだけ移動させる。そして、同様の作業を繰り返し実行する。そのような作業を左右方向に一列分繰り返すことにより、一方の粘着テープ１７に一列分（複数点字分）のラインストーン１９が接着・固定されることになる。
【００２４】
次に、ラインストーン整列具２１を１行ずらした位置にセットする。すなわち、嵌合凸部３６を図１中下側の列の嵌合凹部９であって図１中左端の嵌合押部９内に嵌合させる。その場合は、ガイド部３５がガイド面１４に沿うことになる。そして、同様に、左右方向に一ピッチずつ移動させながら同様の作業を実行する。それによって、他方の粘着テープ１７に一列分のラインストーン１９が接着・固定されることになる。
【００２５】
次に、粘着テ―プ１７、１７に接着・固定されているラインストーン１９を、例えば、衣服５１に対して超音波溶着固定させる作業を行う。すなわち、図５に示すように、セットプレート３を回動させて開いた状態として衣服５１上の所定位置に設置する。この作業を詳しく説明すると、図５に示すように、セットボード５３があり、このセットボード５３は、例えば、ガラスやアクリル製ガラスやベーク板にテフロン（登録商標）シートを貼ったものや、シリコン製である。又、このセットボード５３はセットプレート３の作業空間内に丁度嵌る程度の大きさに形成されている。
【００２６】
そして、このセットボード５３を衣服５１の所定個所の下側に差し入れる。その状態で、そこにセットプレート３の作業空間を嵌め込むものである。その状態を示すのが図５である。
【００２７】
次に、超音波溶着器４１をベースボード１上にセットする。その際、超音波溶着器４１の凸部４５をベースボード１側の嵌合凹部９内に嵌合させることにより所定の位置にセットすることができる。後は、その状態で超音波ホーン４７を介して１点字分の６個のラインストーン１９を超音波溶着によって衣服５１に固定するものである。
【００２８】
そして、超音波溶着器４１を左右方向に１ピッチずつずらして同様の作業を実行すると共に、１行ずらして左右方向に１ピッチずつずらして同様の作業を実行する。それによって、２枚の粘着テープ１７、１７に接着・固定されている複数点字分のラインストーン１９を衣服５１の所定位置に固定することができる。
【００２９】
以上本実施の形態によると次のような効果を奏することができる。
まず、視覚障害者であっても、ラインストーン１９の整列作業、粘着テープ１７への貼付作業、衣服５１への接着・固定を全て容易に、且つ、確実に行うことが可能になった。具体的には、ラインストーン整列具２１を使用するようにしたので、６個のラインストーン１９を所定の１点字領域内の所定位置に確実に、且つ、容易に位置決めすることができるようになったからである。特に、整列ボード２３には、嵌合凹部２９の周りに案内溝３１が設けられていて、これら案内溝３１を介して嵌合凹部２９内にラインストーン１９を容易にスライド・嵌合させることができるからである。
又、ラインストーン整列具２１の移動・固定に関しても、嵌合凸部２６を嵌合凹部９内に手探りで嵌合させればよく、又、その位置は凸部１１によって確認できるものである。
又、それだけではなく、ラインストーン１９を粘着テープ１７、１７に転移させる作業、それを衣服５１に固定する作業についても、全て手探りにて行うことができ、視覚障害者であっても容易に行うことができるようになった。
【００３０】
尚、本発明は前記一実施の形態に限定されるものではない。
まず、装飾部品としては、ラインストーン以外にも様々なものがある。
又、各部の構成はあくまで一例であり、様々な変形が考えられる。
又、嵌合凹部と嵌合凸部との関係は逆であってもよい。例えば、嵌合凹部９を嵌合凸部として設け、それに対向する嵌合凸部３６、４５を嵌合凹部として設けるようにしてもよい。その他の凹凸嵌合構造についても同様である。
【産業上の利用可能性】
【００３１】
本発明は、視覚障害者であっても簡便な作業で複数個の装飾部品を整列させたり貼り付けたりすることができるように工夫したものであり、例えば、ラインストーン等の装飾部品を整列させるために使用する装飾部品整列具と該装飾部品整列具を組み込んだ装飾部品整列・貼付器に好適である。
【図面の簡単な説明】
【００３２】
【図１】本発明の一実施の形態を示す図で、セットプレートを開いた状態のラインストーン整列・貼付器の斜視図である。
【図２】本発明の一実施の形態を示す図で、セットプレートを閉じた状態のラインストーン整列・貼付器の斜視図である。
【図３】本発明の一実施の形態を示す図で、ラインストーンをラインストーン整列具によって粘着テープに接着・固定している様子を示す断面図である。
【図４】本発明の一実施の形態を示す図で、図３（ａ）はラインストーン整列具の整列ボードの平面図、図３（ｂ）は図３（ａ）のｂ−ｂ断面図、図３（ｃ）は図３（ｂ）のｃ部を拡大して示す図である。
【図５】本発明の一実施の形態を示す図で、超音波溶着器によってラインストーンを固定している状態を示す斜視図である。
【図６】本発明の一実施の形態を示す図で、超音波溶着器の断面図である。
【符号の説明】
【００３３】
１  ベースボード
３  セットプレート
９  嵌合凹部
１５  粘着テープ貼付用案内凸部
１７  粘着テープ
２１  ラインストーン整列具
２３  整列ボード
２７  プレスボード
２９  嵌合凸部
３１  ガイド溝
４１  超音波溶着器
５１  衣服
【図１】
2005256249.tif 000003
【図２】
2005256249.tif 000004
【図３】
2005256249.tif 000005
【図４】
2005256249.tif 000006
【図５】
2005256249.tif 000007
【図６】
2005256249.tif 000008